(57)【特許請求の範囲】
【請求項１】
ユーザーからの操作が無い無操作の期間が第１の時間に達したことに応じて、消費電力を低減する省電機能を実行する省電手段と、
現在時刻を設定する時刻設定画面を表示手段に表示する表示制御手段と、
前記時刻設定画面において受け付けた操作に応じて現在時刻を設定する第１の設定手段と、
前記第１の時間を設定する第２の設定手段と、
前記時刻設定画面を表示している際に、前記第２の設定手段により設定された前記第１の時間が第２の時間よりも短い場合には前記時刻設定画面を表示していないときよりも、前記省電機能を実行するまでの時間を延長するように制御し、前記第１の時間が前記第２の時間よりも長い場合は前記延長を行わないように制御する制御手段と、を有することを特徴とする電子機器。
【請求項２】
前記制御手段は、前記延長において、前記第１の時間を前記第２の時間に変更することを特徴とする請求項１に記載の電子機器。
【請求項３】
前記第２の時間は、１分以上の時間であることを特徴とする請求項１または２に記載の電子機器。
【請求項４】
前記制御手段は、前記時刻設定画面を表示した後、時刻を変更するための操作を受け付けたことに応じて前記延長を実行することを特徴とする請求項１乃至３のいずれか１項に記載の電子機器。
【請求項５】
前記制御手段は、前記時刻設定画面の表示終了に伴って、前記第１の時間を前記延長の前の時間に戻すことを特徴とする請求項１乃至４のいずれか１項に記載の電子機器。
【請求項６】
ユーザーからの操作が無い無操作の期間が第１の時間に達したことに応じて、消費電力を低減する省電機能を実行する省電手段と、
現在時刻を設定する時刻設定画面を表示手段に表示する表示制御手段と、
前記時刻設定画面において受け付けた操作に応じて現在時刻を設定する第１の設定手段と、
前記第１の時間を設定する第２の設定手段と、
前記第２の設定手段により設定された前記第１の時間が第２の時間よりも短い場合には、前記時刻設定画面を表示している際に、無操作の期間が前記第１の時間に達しても、前記省電機能を実行しないように制御する制御手段と、を有することを特徴とする電子機器。
【請求項７】
前記第２の時間は、１分以上の時間であることを特徴とする請求項６に記載の電子機器。
【請求項８】
前記省電機能は、無操作の期間が前記第１の時間に達したことに応じて前記電子機器を電源ＯＦＦへ移行するオートパワーオフであることを特徴とする請求項１乃至７のいずれか１項に記載の電子機器。
【請求項９】
前記省電機能は、無操作の期間が前記第１の時間に達したことに応じて前記表示手段による表示をオフまたは輝度低減するディスプレイオフであることを特徴とする請求項１乃至７のいずれか１項に記載の電子機器。
【請求項１０】
前記第１の設定手段は、時刻が未設定の状態で電源がオンされた場合に自動的に前記時刻設定画面を表示することを特徴とする請求項１乃至９のいずれか１項に記載の電子機器。
【請求項１１】
撮像手段と、
前記第１の設定手段で設定された時刻に基づいて、前記撮像手段で撮像された画像に撮影日時を付加する付加手段と、をさらに備えることを特徴とする請求項１乃至１０のいずれか１項に記載の電子機器。
【請求項１２】
ユーザーからの操作が無い無操作の期間が第１の時間に達したことに応じて、消費電力を低減する省電機能を実行する省電工程と、
現在時刻を設定する時刻設定画面を表示手段に表示する表示制御手段と、
前記時刻設定画面において受け付けた操作に応じて現在時刻を設定する第１の設定工程と、
前記第１の時間を設定する第２の設定工程と、
前記時刻設定画面を表示している際に、前記第２の設定工程により設定された前記第１の時間が第２の時間よりも短い場合には前記時刻設定画面を表示していない場合よりも、前記省電機能を実行するまでの時間を延長するように制御し、前記第１の時間が前記第２の時間よりも長い場合は前記延長を行わないように制御する制御工程と、を有することを特徴とする電子機器の制御方法。
【請求項１３】
ユーザーからの操作が無い無操作の期間が第１の時間に達したことに応じて、消費電力を低減する省電機能を実行する省電工程と、
現在時刻を設定する時刻設定画面を表示手段に表示する表示制御工程と、
前記時刻設定画面において受け付けた操作に応じて現在時刻を設定する第１の設定工程と、
前記第１の時間を設定する第２の設定工程と、
前記第２の設定工程により設定された前記第１の時間が第２の時間よりも短い場合には、前記時刻設定画面を表示している際に、無操作の期間が前記第１の時間に達しても、前記省電機能を実行しないように制御する制御工程と、を有することを特徴とする電子機器の制御方法。
【請求項１４】
コンピュータを、請求項１乃至１１のいずれか１項に記載の電子機器の各手段として機能させるためのプログラム。
【請求項１５】
コンピュータを、請求項１乃至１１のいずれか１項に記載の電子機器の各手段として機能させるためのプログラムを格納したコンピュータが読み取り可能な記憶媒体。
【発明の詳細な説明】
【技術分野】
【０００１】
本発明は電子機器に関し、特に時刻設定中の省電力制御に関する。
【背景技術】
【０００２】
従来のデジタルカメラ等の電子機器においては、オートパワーオフ機能等の省電力機能を備えるものがある。この種の、電子機器では、所定の時間にわたって操作されない場合に、自動的に電源をオフしたり、表示部が消えたりすることで、省電力が実現される。このような省電力機能により、電子機器の電池駆動時間を長くすることが可能となっている（特許文献１参照）。
【先行技術文献】
【特許文献】
【０００３】
【特許文献１】特開２００７−０８１７３７号公報
【発明の概要】
【発明が解決しようとする課題】
【０００４】
しかしながら、そのような省電力機能を備えた電子機器においては、ユーザーが日時を設定中にオートパワーオフ等の省電力機能が働いてしまうことがある。例えば、電子機器における時刻を正確に合わせるために、ユーザーは、計時が停止している時刻設定モードで所望の時刻をセットしておき、実際に所望の時刻になるのを待って設定した時刻を確定する（計時を開始させる）。このとき、省電力機能が働く時間が短く設定されている場合は、設定を確定したい所望の時刻になるのを待つ間に、省電力機能によって電子機器の電源が切れてしまう可能性がある。これにより、それ以前に行なった操作がクリアされてしまい、再度操作（時刻設定操作）を最初からやり直す必要が生じてしまう。
【０００５】
本発明は上記課題に鑑みてなされたものであり、時刻設定中にユーザーの意図に反して省電力機能が働いてしまう可能性を低下させることを目的とする。
【課題を解決するための手段】
【０００６】
上記の目的を達成するための本発明の一態様による電子機器は以下の構成を有する。すなわち、
ユーザーからの操作が無い無操作の期間が第１の時間に達したことに応じて、消費電力を低減する省電機能を実行する省電手段と、
現在時刻を設定する時刻設定画面を表示手段に表示する表示制御手段と、
前記時刻設定画面において受け付けた操作に応じて現在時刻を設定する第１の設定手段と、
前記第１の時間を設定する第２の設定手段と、
前記時刻設定画面を表示している際に、前記第２の設定手段により設定された前記第１の時間が第２の時間よりも短い場合には前記時刻設定画面を表示していないときよりも、前記省電機能を実行するまでの時間を延長するように制御し、前記第１の時間が前記第２の時間よりも長い場合は前記延長を行わないように制御する制御手段と、を有する。
【発明の効果】
【０００７】
本発明によれば、時刻設定中にユーザーの意図に反して省電力機能が働いてしまう可能性を低下させることができる。
【図面の簡単な説明】
【０００８】
【図１】実施形態に係るデジタルカメラの外観図。
【図２】実施形態に係るデジタルカメラのシステム構成を示すブロック図。
【図３】実施形態におけるオートパワーオフ時間設定画面の表示例を示す図。
【図４】実施形態における日付／時刻／エリア設定画面の表示例を示す図。
【図５】日付／時刻／エリアの設定開始までの処理を示すフローチャート。
【図６Ａ】、
【図６Ｂ】、
【図７Ａ】、
【図７Ｂ】日付／時刻／エリアの設定中におけるオートパワーオフ時間の延長処理を示すフローチャート。
【図８】システム制御部における日時設定及び省電機能に関わる機能ブロック図。
【発明を実施するための形態】
【０００９】
以下、図面を参照して本発明の好適な実施形態を説明する。
【００１０】
＜第１実施形態＞
図１に本発明の電子機器の一例としてのデジタルカメラの外観図を示す。表示部１１１はたとえば液晶表示器（ＬＣＤ）を具備し、画像や各種情報を表示する。シャッターボタン１１６は撮影指示を行うための操作部材である。モードダイアル１１７は各種モードを切り替えるための操作部材である。メインダイアル５０、上下左右キー８０、ＳＥＴキー９０はユーザーからの操作を受け付ける操作部材である。
【００１１】
図２は、本実施形態によるデジタルカメラ１００のシステム構成例を示すブロック図である。図２において、撮影レンズ１０４はズームレンズ、フォーカスレンズを含むレンズ群である。シャッター１０５は絞り機能を備えるシャッターである。撮像部１０６は光学像を電気信号に変換するＣＣＤやＣＭＯＳ素子等で構成される撮像素子を備える。Ａ／Ｄ変換器１０７は、アナログ信号をデジタル信号に変換する。Ａ／Ｄ変換器１０７は、撮像部１０６から出力されるアナログ信号をデジタル信号に変換する。バリア１０３は、デジタルカメラ１００の、撮影レンズ１０４を含む撮像系を覆うことにより、撮影レンズ１０４、シャッター１０５、撮像部１０６を含む撮像系の汚れや破損を防止する。
【００１２】
画像処理部１０２は、Ａ／Ｄ変換器１０７からのデータ、又は、メモリ制御部１０８からのデータに対し、画素補間や縮小といったリサイズ処理や色変換処理などを行う。また、画像処理部１０２では、撮像した画像データを用いて所定の演算処理が行われ、得られた演算結果に基づいてシステム制御部１０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部１０２では更に、撮像した画像データを用いて所定の演算処理を行い、得られた演算結果に基づいてＴＴＬ方式のＡＷＢ（オートホワイトバランス）処理も行っている。
【００１３】
Ａ／Ｄ変換器１０７からの出力データは、画像処理部１０２及びメモリ制御部１０８を介して、或いは、メモリ制御部１０８を介してメモリ１０９に直接書き込まれる。メモリ１０９は、撮像部１０６によって得られＡ／Ｄ変換器１０７によりデジタルデータに変換された画像データや、表示部１１１に表示するための画像データを格納する。メモリ１０９は、所定枚数の静止画像や所定時間の動画像および音声を格納するのに十分な記憶容量を備えている。
【００１４】
また、メモリ１０９は画像表示用のメモリ（ビデオメモリ）を兼ねている。Ｄ／Ａ変換器１１０は、メモリ１０９に格納されている画像表示用のデータをアナログ信号に変換して表示部１１１に供給する。こうして、メモリ１０９に書き込まれた表示用の画像データはＤ／Ａ変換器１１０を介して表示部１１１により表示される。表示部１１１は、ＬＣＤ等の表示器上に、Ｄ／Ａ変換器１１０からのアナログ信号に応じた表示を行う。表示部１１１は、Ａ／Ｄ変換器１０７によって一度Ａ／Ｄ変換されメモリ１０９に蓄積されたデジタル信号をＤ／Ａ変換器１１０においてアナログ変換し、表示部１１１に逐次転送して表示することで、電子ビューファインダとして機能し、スルー画像表示を行う。
【００１５】
不揮発性メモリ１１４は、電気的に消去・記録可能なメモリであり、例えばＥＥＰＲＯＭ等が用いられる。不揮発性メモリ１１４には、システム制御部１０１の動作用の定数、プログラム等が記憶される。ここでいう、プログラムとは、本実施形態にて後述する各種フローチャートを実行するためのプログラムのことである。システム制御部１０１は、デジタルカメラ１００全体を制御する。前述した不揮発性メモリ１１４に記録されたプログラムを実行することで、後述する本実施形態の各処理を実現する。システムメモリ１１３は、たとえばＲＡＭで構成され、システム制御部１０１の動作用の定数、変数、不揮発性メモリ１１４から読み出したプログラム等が展開される。また、システム制御部１０１はメモリ１０９、Ｄ／Ａ変換器１１０、表示部１１１等を制御することにより表示制御も行う。
【００１６】
ＲＴＣ（リアルタイムクロック）１３０は現在の日時（日、時、分、及び秒）を秒単位で計時する。システムタイマー１１２は各種制御に用いる時間や、内蔵されたカレンダーや時計の時間を計測する計時部である。モードダイアル１１７、第１シャッタースイッチ１１６ａ、第２シャッタースイッチ１１６ｂはシステム制御部１０１に各種の動作指示を入力するための操作手段である。
【００１７】
モードダイアル１１７は、システム制御部１０１の動作モードを静止画記録モード、動画記録モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モードダイアル１１７で、静止画撮影モードに含まれるこれらのモードのいずれかに直接に切り替えられる。あるいは、モードダイアル１１７で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００１８】
第１シャッタースイッチ１１６ａは、デジタルカメラ１００に設けられたシャッターボタン１１６の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ１１６ｂは、シャッターボタン１１６の操作完了、いわゆる全押し（撮影指示）でＯＮとなり、第２シャッタースイッチ信号ＳＷ２を発生する。システム制御部１０１は、第２シャッタースイッチ信号ＳＷ２により、撮像部１０６からの信号読み出しから記録媒体１２３に画像データを書き込むまでの一連の撮影処理の動作を開始する。この際に、システムタイマー１１２が、カレンダー及び時計を参照して日付および時刻（撮影日時）を撮像された画像に付加する。
【００１９】
操作部１１５の各操作部材は、表示部１１１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１１１に表示される。利用者は、表示部１１１に表示されたメニュー画面と、上下左右キー８０の４方向ボタンやＳＥＴキー９０とを用いて直感的に各種設定を行うことができる。
【００２０】
メインダイアル５０は回転操作可能な操作部材であり、方向ボタンと共に選択項目を指示する際などに使用される。メインダイアル５０を回転操作すると、操作量に応じて電気的なパルス信号が発生し、このパルス信号に基づいてシステム制御部１０１が各種の制御を実行する。このパルス信号によって、メインダイアル５０が回転操作された角度や、何回転したかなどを判定することができる。なお、メインダイアル５０は回転操作が検出できる操作部材であればどのようなものでもよい。例えば、ユーザーの回転操作に応じてメインダイアル５０自体が回転してパルス信号を発生するダイヤル操作部材であってもよい。また、タッチセンサよりなる操作部材で、メインダイアル５０自体は回転せず、メインダイアル５０上でのユーザーの指の回転動作などを検出するもの（いわゆる、タッチホイール）であってもよい。
【００２１】
電源制御部１１９は、電池検出回路、ＤＣ−ＤＣコンバータ、通電するブロックを切り替えるスイッチ回路等により構成され、電池の装着の有無、電池の種類、電池残量の検出を行う。また、電源制御部１１９は、その検出結果及びシステム制御部１０１の指示に基づいてＤＣ−ＤＣコンバータを制御し、必要な電圧を必要な期間、記録媒体１２３を含む各部へ供給する。電源スイッチ１１８は、電源のＯＮ，ＯＦＦ操作をシステム制御部１０１へ伝える。
【００２２】
電源部１２０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１２２は、メモリカードやハードディスク等の記録媒体１２３とのインターフェースである。記録媒体１２３は、撮影された画像を記録するためのメモリカード等の記録媒体であり、半導体メモリや磁気ディスク等から構成される。
【００２３】
図８は、以上のような構成を備えたデジタルカメラ１００における日時設定機能と省電力機能に関わる機能構成ブロック図である。図８において、操作部１１５の時刻設定部８０１は、図４により後述するような時刻設定画面としての日付／時刻／エリア設定画面を表示して受け付けた操作に応じて、カレンダー（年月日）の設定や、システムタイマー１１２が内蔵する時計の時刻合わせを行う。省電制御部８０２は、ユーザーからの操作が無い無操作の期間が第１の所定時間に達したことに応じて電源制御部１１９による電源供給を制御し、デジタルカメラ１００における消費電力を低減する省電力機能を実行する。ここで、第１の所定時間は、図３に示すような設定画面を用いて（たとえば、１分、２分、４分、８分、１５分、３０分の中から）ユーザーが設定できる。省電制御部８０２は、ユーザー操作を検出するたびにリセットされるパワーオフタイマー８０３が第１の所定時間の経過を示した場合（第１の所定時間が設定されたパワーオフタイマーが満了した場合）に省電機能を実行する。時刻設定部８０１は、時刻設定画面を表示している際に、例えば、パワーオフタイマー８０３の設定を変更することで、時刻設定画面を表示していない場合よりも、省電制御部が省電機能を実行するまでの時間を延長するように制御する。換言すれば、時刻設定画面を表示している際には、無操作の期間が第１の所定時間に達しても、省電機能が実行されないようにする。
【００２４】
以下、図３〜図５を参照して、本発明の第１実施形態の動作を説明する。図３は、オートパワーオフが働くまでの時間（オートパワーオフ時間）を設定する画面を示している。この画面は、デジタルカメラ１００における各種設定を行うための設定メニュー画面から、オートパワーオフ時間を設定するメニューを選択することにより表示される。ユーザーは上下左右キー８０のうちの上下キーを押下することによって、選択中の項目を示すカーソル３００を移動することができる。選択中の項目（カーソル３００が位置している項目）は図３に示すようなフォーカス表示（選択状態を示す表示）することにより強調表示することで識別可能に表示される。オートパワーオフ時間としては、例えば、１分、２分、４分、８分、１５分、３０分、しない、のいずれかが選択可能である。ユーザーは、所望のオートパワーオフ時間の所望の選択肢を、たとえば上下左右キー８０のうちの上下キーを操作して選択し、ＳＥＴキー９０を押下することで、所望のオートパワーオフ時間に設定することができる。設定されたオートパワーオフ時間は不揮発性メモリ１１４に記録される。
【００２５】
本実施形態では、このようにして設定されたオートパワーオフ時間以上、ユーザーの操作が行われない場合、システム制御部１０１が省電力のために自動的にデジタルカメラの電源をＯＦＦにする。例えば、オートパワーオフ時間が１分に設定されているとき、ユーザーの操作が１分以上行われなければ、システム制御部１０１がデジタルカメラの電源をＯＦＦにする。また、オートパワーオフ時間が「しない」に設定されている場合は、ユーザーの操作が行われない状態が続いた場合でも、オートパワーオフによる電源ＯＦＦを行わない。また、本実施形態では、ユーザーが図３のオートパワーオフ時間の設定画面での設定操作を行っていない場合は、デフォルト（初期設定）のオートパワーオフ時間として１分が設定されている。
【００２６】
図４は、日付（年、月、日）、時刻（時、分、秒）、エリアを設定する日付／時刻／エリア設定画面を示している。エリア設定は、東京、ロンドンなどの地域を選択することで、そのエリアの日付、時刻に自動的に変更される。図４（ａ）の例では、時刻（秒）が選択され、フォーカス枠４００によりフォーカス表示されている状態が示されている。図４（ｂ）の例では、時刻（秒）が変更可能状態となり、上下矢印アイコン４１０が表示された状態が示されている。この状態で、ユーザーが上下左右キー８０の上下キーを押下することで、選択中の項目の値を変更することができる。図４（ｃ）の例では、ＯＫボタン４２０が選択され、フォーカス表示されている状態が示されている。このとき、ユーザーがＳＥＴキー９０を押下することで、日付（年、月、日）、時刻（時、分、秒）、エリアの設定が確定される。システム制御部１０１は、確定した日付（年、月、日）、時刻（時、分、秒）をＲＴＣ１３０に設定し、ユーザーが合わせた時間からのＲＴＣ１３０による時計の計時を開始させる。なお、本実施形態では、日付／時刻／エリア設定画面を示したが、日付、エリアの設定は必須ではなく、少なくとも時刻を合わせる機能を有する設定画面（時刻設定画面）であればよい。
【００２７】
本実施形態では、システム制御部１０１は、図４のような日付／時刻／エリア設定画面を表示部１１１に表示したとき、設定されているオートパワーオフ時間を不揮発性メモリ１１４から読み込む。そして、システム制御部１０１は、設定されているオートパワーオフ時間として１分、２分、４分が設定されている場合、オートパワーオフ時間の設定を６分に変更する。オートパワーオフ時間の設定を長くするほど電池を消耗するため、ユーザーが時刻を設定するのに十分であると考えられるオートパワーオフ時間に設定を変更する。これにより、ユーザーが設定したい所望の時刻になるのを待つ間に、ユーザーの意図に反してオートパワーオフ機能が働いて電源ＯＦＦされてしまう可能性を低下させることができる。また、その後にシステム制御部１０１が表示部１１１に日付／時刻／エリア設定画面以外の画面を表示した場合、システム制御部１０１は、日付／時刻／エリア設定画面が表示される前のオートパワーオフ時間の設定に戻す。これにより、ユーザーの利便性を損なうことなく省電力を実現できる。
【００２８】
本実施形態では、日付／時刻／エリア設定画面を表示するのは、以下の２つの場合とする。すなわち、
・ユーザーが操作部１１５を操作してメニュー画面から日付／時刻／エリア設定メニューを選択して日付／時刻／エリア設定画面を表示部１１１に表示する場合と、
・デジタルカメラに日付／時刻／エリアが設定されていない状態で電源をＯＦＦからＯＮにしたとき日付／時刻／エリア設定画面を表示部１１１に表示する場合と、である。
【００２９】
デジタルカメラに日付／時刻／エリアが設定されていない状態としては、例えば、ユーザーがデジタルカメラを購入したあとに一度も日付／時刻／エリア設定が行われていないという状況が考えられる。日付／時刻／エリア設定が行われていない状態で撮影が行われると、撮影された画像に撮影日時情報が付加されないこととなり、撮影された画像を扱う際のユーザーの利便性に欠けることが考えられる（例えば、撮影日時での画像検索が行えない）。このような状況を防ぐために、日付／時刻／エリア設定が行われていない状態で電源がＯＮにされると、システム制御部１０１は、日付／時刻／エリア設定画面を表示部１１１に表示を最初に表示し、ユーザーに日付／時刻／エリアの設定を促す。なおこの画面はユーザー操作に応じてキャンセルしてスキップし、即座に撮影待機画面に移行することが可能である。
【００３０】
以上のように、日付／時刻／エリア設定が行われていない状態で電源がＯＮにされると日付／時刻／エリア設定画面が表示されるが、この場合も、システム制御部１０１は、オートパワーオフ時間の設定を６分に変更する。前述したように、本実施形態ではユーザーがオートパワーオフ時間の設定操作を行っていない場合、デフォルトのオートパワーオフ時間の１分が設定されている。通常、省電力を実現するために、デフォルトで設定されているオートパワーオフ時間は比較的短い時間が設定されている。したがって、ユーザーが電源ＯＮして初期設定をしようと説明書等を見ていると、その間に日付／時刻／エリア設定画面でオートパワーオフによって電源ＯＦＦされ、利便性が損なわれる可能性がある。そのため、デジタルカメラに日付／時刻／エリアが設定されていない状態で電源をＯＦＦからＯＮにしたときの日付／時刻／エリア設定画面の表示中も、オートパワーオフ時間の設定を延長し、不意に電源ＯＦＦされてしまう可能性を低減する。
【００３１】
図５は、日付／時刻／エリア設定画面を表示するまでの処理の流れを説明するフローチャートである。この処理は、システム制御部１０１が不揮発性メモリ１１４に記録されたプログラムをシステムメモリ１１３に展開して実行することで実現される。Ｓ５０１では、システム制御部１０１は、デジタルカメラの電源がＯＮされたことに伴う各種の初期動作を行う。Ｓ５０２では、システム制御部１０１は、日付／時刻／エリアの設定がされているか否かを判定する。日付／時刻／エリアが設定されていないと判定された場合、処理はＳ５１３へ進み、日時設定処理が実行される。すなわち、時刻が未設定の状態で電源がオンされた場合には、自動的に図４に示したような時刻設定画面が表示されることになる。他方、日付／時刻／エリアが設定済みであると判定された場合には処理はＳ５０３へ進み、設定されていないと判定された場合（すなわち、図３で前述したユーザーによる日付／時刻／エリア設定がなされていない場合）には処理はＳ５０３へ進む。
【００３２】
Ｓ５０３では、システム制御部１０１は、オートパワーオフのタイマーを開始し、設定されているオートパワーオフ時間の計測を開始する。Ｓ５０４では、システム制御部１０１は、デジタルカメラ１００の各種処理を行う。例えば、撮影モードにおける撮影待機、撮影、各種撮影設定の処理や、再生モードにおける画像再生の処理があるが、詳細は省略する。この時、ユーザーからの何らかの操作を受け付けた場合には、Ｓ５０３で開始したオートパワーオフのタイマーをリセットして再度計測開始する。
【００３３】
Ｓ５０５では、システム制御部１０１（省電制御部８０２）は、操作部１１５のうちのＭＥＮＵキーが押されたか否かを判定する。ＭＥＮＵキーが押されていない場合には処理はＳ５０６へ進み、押された場合には処理はＳ５０８へ進む。Ｓ５０６では、システム制御部１０１（省電制御部８０２）は、オートパワーオフのタイマーが満了したか否かを判定する。オートパワーオフのタイマーが満了している場合には処理はＳ５０７に進み、そうでない場合には処理はＳ５０３に戻る。Ｓ５０７では、システム制御部１０１（省電制御部８０２）は、オートパワーオフのタイマーの満了（無操作のまま設定されているオートパワーオフ時間が経過したこと）に伴い、デジタルカメラ１００の電源をオフとする（オートパワーオフ処理）。
【００３４】
Ｓ５０８では、システム制御部１０１は、表示部１１１へメニュー画面を表示する。Ｓ５０９では、システム制御部１０１は、メニュー画面に表示されたメニュー項目のうち、オートパワーオフ時間の設定画面を表示させるメニュー項目が選択され、オートパワーオフ時間の設定画面への遷移指示があったか否かを判定する。オートパワーオフ時間の設定画面への遷移指示があった場合、処理はＳ５１０へ進み、そうでない場合はＳ５１１へ進む。Ｓ５１０では、システム制御部１０１は、図３で前述したオートパワーオフ時間の設定画面を表示部１１１に表示する。そして、図３を用いて前述したとおり、ユーザー操作に応じて、オートパワーオフ時間を、１分、２分、４分、８分、１５分、３０分、しない、のいずれかに設定する。システム制御部１０１は、設定されたオートパワーオフ時間を不揮発性メモリ１１４に記憶する。
【００３５】
Ｓ５１１では、システム制御部１０１は、メニュー画面に表示されたメニュー項目のうち、日付／時刻／エリア設定画面を表示させるメニュー項目が選択され、日付／時刻／エリア設定画面への遷移指示があったか否かを判定する。日付／時刻／エリア設定画面への遷移指示があった場合は、処理はＳ５１３へ進み、システム制御部１０１が日時設定処理を行う。Ｓ５１１で日付／時刻／エリア設定画面への遷移指示がない場合は、処理はＳ５１２に進む。なお、Ｓ５１３の日時設定処理については、図６を用いて後述する。
【００３６】
Ｓ５１２では、システム制御部１０１は、メニュー画面を閉じる操作があったか否かを判定する。メニュー画面を閉じる操作があった場合、システム制御部１０１は、メニュー画面を閉じ、処理をＳ５０３に戻す。他方、メニュー画面を閉じる操作が無ければ、処理はＳ５０９に戻り、上述の処理が繰り返される。なお、メニュー画面においては、オートパワーオフ時間と日時設定以外のメニュー項目も存在するが、ここでは説明を省略している。
【００３７】
図６Ａ、図６Ｂは、図５のＳ５１３における日時設定処理の詳細を示すフローチャートである。この処理は、不揮発性メモリ１１４に記録されたプログラムをシステムメモリ１１３に展開してシステム制御部１０１が時刻設定部８０１の機能を実行することで実現する。まず、Ｓ６０１において、システム制御部１０１は、現在設定されているオートパワーオフ時間の設定が４分以下か否かを判定する。オートパワーオフ時間が４分以下であれば処理はＳ６０２へ進み、４分より大きければ処理はＳ６０４へ進む。
【００３８】
Ｓ６０２では、システム制御部１０１は、現在設定されているオートパワーオフ時間の設定をシステムメモリ１１３に保存する。Ｓ６０３では、システム制御部１０１は、オートパワーオフ時間を６分に設定する（延長する）。Ｓ６０４では、システム制御部１０１は、オートパワーオフのタイマーを開始する。Ｓ６０５では、システム制御部１０１は、表示部１１１へ図４に示すような日付／時刻／エリア設定画面を表示する。
【００３９】
Ｓ６０６では、システム制御部１０１は、上下左右キー８０のうちの左右キーが押されたか否かを判定する。左右キーが押されたと判定された場合は、処理はＳ６０７へ進み、押さていないと判定された場合は処理Ｓ６０９へ進む。Ｓ６０７では、システム制御部１０１は、オートパワーオフのタイマーをリセットして再度計測開始する。Ｓ６０８では、システム制御部１０１は、上下左右キー８０のうちの左右キーが押された方向に応じて、フォーカス（選択枠）を移動する。Ｓ６０９では、システム制御部１０１は、ＳＥＴキー９０が押された否かを判別し、押された場合はＳ６１１へ進み、押さていない場合はＳ６１０へ進む。Ｓ６１０では、システム制御部１０１（省電制御部８０２）は、オートパワーオフのタイマーが満了したか否かを判定する。オートパワーオフのタイマーが満了している場合には処理はＳ６２４へ進み、満了していない場合には処理はＳ６０６へ戻る。
【００４０】
Ｓ６１１では、システム制御部１０１（省電制御部８０２）は、オートパワーオフのタイマーをリセットして再度計測を開始する。Ｓ６１２では、システム制御部１０１は、Ｓ６０９でＳＥＴキー９０が押下された際に、日付／時刻／エリアを設定する画面（図４）のＯＫの項目にフォーカスが当たっていたか否かを判定する。ＯＫの項目にフォーカスが当たっていた場合には処理はＳ６１３へ進み、そうでない場合には処理はＳ６１６へ進む。Ｓ６１３では、システム制御部１０１は日付、時刻をＲＴＣ１３０へ設定する。こうして、ユーザーが日付／時刻／エリア設定画面（時刻設定画面）で合わせた時間からの時計の計時が開始される。Ｓ６１４では、システム制御部１０１は、オートパワーオフ時間をＳ６０２でシステムメモリ１１３に保存した設定へ戻す。Ｓ６１５では、システム制御部１０１は、日付／時刻／エリア設定画面が表示される前の画面に戻り、図５のＳ５０３へ進む。こうして、時刻設定画面の表示終了に伴って、オートパワーオフ時間が延長の前の時間に戻される。
【００４１】
Ｓ６１６が実行されるのは、Ｓ６０９でＳＥＴキー９０が押下された際にフォーカスがあった（選択されていた）項目が、年、月、日、時、分、秒などの設定可能項目の何れかであった場合である。従ってＳ６１６では、システム制御部１０１は、フォーカス位置の項目の表示形態を設定不能状態（例えば図４（ａ）のフォーカス枠４００の位置の表示形態）から、変更可能状態（例えば図４（ｂ）の上下矢印アイコンが付加された表示形態）に変更する。
【００４２】
Ｓ６１７では、システム制御部１０１は、上下左右キー８０の上下キーが押されたか否かを判定する。上下キーが押されたと判定された場合には処理はＳ６１８へ進み、上下キーが押さていないと判定された場合には処理はＳ６２０へ進む。Ｓ６１８では、システム制御部１０１は、オートパワーオフのタイマーをリセットする。続いて、Ｓ６１９では、システム制御部１０１は、フォーカス位置の項目の値を変更する。
【００４３】
Ｓ６２０では、システム制御部１０１は、ＳＥＴキー９０が押されたか否かを判定する。ＳＥＴキー９０が押されたと判定された場合には、処理はＳ６２１へ進み、ＳＥＴキー９０が押さていないと判定された場合は、処理はＳ６２３へ進む。Ｓ６２１では、システム制御部１０１は、オートパワーオフのタイマーをリセットする。Ｓ６２２では、システム制御部１０１は、フォーカス位置の項目を変更不能状態に戻し、処理をＳ６０６に戻す。Ｓ６２３では、システム制御部１０１は、オートパワーオフのタイマーが満了したか否かを判定する。満了していると判定された場合には処理はＳ６２４へ進み、満了していない場合には処理はＳ６１７へ戻る。
【００４４】
Ｓ６２４では、システム制御部１０１は、オートパワーオフ時間をＳ６０２で保存した設定へ戻す。Ｓ６２５では、システム制御部１０１は、オートパワーオフのタイマーが満了した（無操作のまま設定されているオートパワーオフ時間が経過した）ことに伴い、デジタルカメラ１００の電源をオフとする（オートパワーオフ処理）。
【００４５】
以上説明したように、第１実施形態によれば、日付／時刻／エリア設定画面が表示されていない場合は、デフォルトもしくは、ユーザーに設定されたオートパワーオフ時間でオートパワーオフを実行する。一方、日付／時刻／エリア設定画面を表示中はオートパワーオフ時間の設定を延長する。これにより、日付／時刻／エリア設定と省電力機能の実行を適切に両立させた利便性の高い電子機器を実現できる。
【００４６】
なお、本実施形態では、ユーザーが時刻を設定するのに十分であると考えられる時間を考慮し、オートパワーオフ時間の設定が４分以下の場合にオートパワーオフ時間の設定を延長したが（Ｓ６０１、Ｓ６０３）、これに限定されない。例えば、ユーザーが所望の時刻（時、分）に変更後、時報を聞きながら設定を確定する場合、秒を０に変更し、図４（ｃ）の状態で操作をせずに、所望の時刻になるのを待って確定する使い方が考えられる。このとき、ユーザーは次の０秒まで最大６０秒待つ可能性があり、待っている間にオートパワーオフにより電源ＯＦＦとなってしまうことがある。そのため、Ｓ６０１，Ｓ６０３でオートパワーオフ時間が１分以下に設定されている場合に、１分より大きいオートパワーオフ時間を設定するというようにしてもよい。すなわち、オートパワーオフ時間の設定が１分以上の所定時間以下の場合にオートパワーオフ時間の設定を延長する。
【００４７】
また、上記実施形態では、無操作時間に基づいて実行する省電機能（消費電力を低減する機能）として、デジタルカメラ１００の電源をオフとするオートパワーオフを例として示した。すなわち、時刻設定画面の表示中においてオートパワーオフを実行するまでの時間を延長する例を説明したが、これに限るものではない。省電機能には他に、デジタルカメラ１００の電源はオンとしたまま、ディスプレイ（表示部１１１）の表示をオフまたは輝度低減するディスプレイオフ機能がある。
【００４８】
ディスプレイオフ機能では、無操作のまま、設定されたディスプレイオフ時間が経過すると、ディスプレイ（表示部１１１）の表示をオフまたは輝度低減する。ディスプレイオフ時間としては、例えば、１０秒、２０秒、３０秒、１分、２分、３分の選択肢の中からユーザーが任意の選択肢を選択して設定することができる。ここで、ディスプレイオフは、電源がオンとなっている場合に実行するため、オートパワーオフ時間より短くすることはできない。そのため、ディスプレイオフとして設定可能な選択肢は、オートパワーオフで設定されている時間よりも短いものとなる。また、ディスプレイオフ時間の選択肢となる１０秒、２０秒、３０秒、１分、２分、３分は、オートパワーオフ時間の選択肢となる１分、２分、４分、８分、１５分、３０分よりも全体的に短くなっている。すなわち、選択肢の平均値が短い、あるいは、最低値同士の比較、最大値同士の比較でディスプレイオフ時間の選択肢ほうが短い。
【００４９】
ディスプレイオフ機能についても、上述のオートパワーオフ機能と同様、所定値以下に設定されている場合に、時刻設定画面が表示されたことに応じてディスプレイを所定時間より大きい時間に延長する。例えば、上述のように、時報を聞きながら、あるいは他機器における正しい時間表示を見ながら分単位の設定をすることが考えられる。そのため、ディスプレイオフ時間が１分以下（１０秒、２０秒、３０秒、１分）である場合に、１分より大きい時間（２分以上）にディスプレイオフ時間を延長するとよい。あるいは、ディスプレイオフ時間が１分未満（１０秒、２０秒、３０秒）に設定されている場合に、１分以上に延長してもよい。また、本実施形態では、日付／時刻／エリア設定画面が表示されている間はオートパワーオフ時間を６分に延長したが（Ｓ６０３）、オートパワーオフしないように設定してもよい。ディスプレイオフについても同様に、ディスプレイオフしないように設定してもよい。
【００５０】
＜第２実施形態＞
次に、第２実施形態の動作を説明する。第１実施形態では、日付／時刻／エリア設定画面が表示されたときにオートパワーオフ時間の設定を延長した（Ｓ６０１、Ｓ６０３）が、本発明はこれに限られるものではない。第２実施形態では、ユーザーの変更意思が認識されたとき、例えば、ユーザーが日付／時刻／エリアのいずれかを最初に変更可能状態にしたときに、オートパワーオフ時間の設定を延長する。その他は第１実施形態と同様である。例えば、時刻設定画面を表示した後に、ユーザーによる時刻を変更するための操作を受け付けた場合に、オートパワーオフ時間の設定を延長する。
【００５１】
図７Ａ、図７Ｂは、第２実施形態による日時設定処理のフローチャートを示す。この処理は、前述の図５のＳ５１３で実行される日時設定処理の詳細であり、システム制御部１０１が不揮発性メモリ１１４に記録されたプログラムをシステムメモリ１１３に展開して実行することで実現される。
【００５２】
Ｓ７０４〜Ｓ７１５は、図６のＳ６０４〜Ｓ６１５と同様の処理であるので説明を省略する。Ｓ７３１では、システム制御部１０１は、現在設定されているオートパワーオフ時間の設定が４分以下か否かを判定する。オートパワーオフ時間が４分以下であれば処理はＳ７３２へ進み、４分より大きければ処理はＳ７１６へ進む。Ｓ７３２では、システム制御部１０１は、現在設定されているオートパワーオフ時間の設定をシステムメモリ１１３に保存する。Ｓ７３３では、システム制御部１０１は、オートパワーオフ時間を６分に設定する（延長する）。Ｓ７１６〜Ｓ７２５は、図６のＳ６１６〜Ｓ６２５と同様の処理であるので説明を省略する。
【００５３】
以上説明したように、第２実施形態によれば、日付／時刻／エリア設定画面が表示されるとすぐにオートパワーオフ時間を延長するのではなく、日付／時刻／エリアのいずれかを最初に変更可能状態にしたとき、オートパワーオフ時間の設定を延長する。これにより、オートパワーオフ時間の設定を延長する期間を短くできるため、より省電力を実現できる。なおディスプレイオフ機能についても同様の制御が可能であることは言うまでもない。
【００５４】
なお、システム制御部１０１の制御は１つのハードウェアが行ってもよいし、複数のハードウェアが処理を分担することで、装置全体の制御を行ってもよい。
【００５５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５６】
また、上述した実施形態においては、本発明をデジタルカメラに適用した場合を例にして説明したが、本発明はこの例に限定されるものではない。たとえば、時刻設定が可能な時計機能と、オートパワーオフ機能および／またはディスプレイオフ機能とを有する電子機器であれば本発明を適用可能である。すなわち、本発明は、パーソナルコンピュータやＰＤＡ、携帯電話端末や携帯型の画像ビューワ、デジタルフォトフレーム、音楽プレーヤー、ゲーム機、電子ブックリーダーなどに適用可能である。
【００５７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５８】
１００：デジタルカメラ、１０１：システム制御部、１１２：システムタイマー、１１５：操作部、１１９：電源制御部、１３０：ＲＴＣ、８０１：時刻設定部、８０２：省電制御部、８０３：パワーオフタイマー
【図１】
0006498064.tif 000002
【図２】
0006498064.tif 000003
【図３】
0006498064.tif 000004
【図４】
0006498064.tif 000005
【図５】
0006498064.tif 000006
【図６Ａ】
0006498064.tif 000007
【図６Ｂ】
0006498064.tif 000008
【図７Ａ】
0006498064.tif 000009
【図７Ｂ】
0006498064.tif 000010
【図８】
0006498064.tif 000011